(57)【要約】【課題】データ通信を行っている移動通信端末が音声通話システムへ切り替えられた場合に、音声通話サービスが終了したときに速やかにデータ通信を再開することができるようにする。【解決手段】データ通信システムに呼接続中の移動通信端末100が音声通話システムへ切り替わった時、移動通信端末が、音声通話のパケット送信を破棄して空いた時間を利用して、データ通信の呼接続を維持または解除する制御信号を送信する。【選択図】図１
2012099902.tif 000002
【特許請求の範囲】
【請求項１】
音声コーデックを有し、音声通話サービスを提供する無線通信基地局との間で無線通信による音声通話を行う音声パケット送受信装置と、
未送受信データの有無を検出する未送受信データ認識装置を有し、データ通信サービスを提供する無線通信基地局との間で無線通信によるデータ通信を行うデータパケット送受信装置と、
音声通話の音量を検出する音量検出部と、
音声通話の呼接続が確立してから一定時間を計測するタイマと、
音声通話とデータ通信とを切り替える切り替え装置と、
呼処理を行う呼制御処理部とを備えて構成され、
前記呼制御処理部は、
データ通信呼接続が確立されていてデータ通信中に音声通話の呼接続要求があった場合に音声通話の呼接続を確立させて、音声通話及びデータ通信の両方の呼接続を確立させた状態で前記切り替え装置を音声パケット送受信装置側に切り替えて音声通話を開始させ、前記タイマが一定時間を計時するまでの間に、前記音量検出部が音声通話の音量が一定値以下になったことを検出すると、音声通話のための音声パケットを破棄して音声パケットの送信を停止し、前記切り替え装置をデータパケット送受信側に切り替えて、前記未送受信データ認識装置からの未送受信データの有無の検出結果に基づいて、音声パケットの送信を停止して空いた時間を利用してデータ通信呼接続制御信号を送信することを特徴とする移動通信端末。
【請求項２】
前記呼制御処理部は、
前記未送受信データ認識装置が未送信データありを検出していた場合、データ通信の呼接続を維持するためのデータ通信呼接続制御信号を送信することを特徴とする請求項１記載の移動通信端末。
【請求項３】
前記呼制御処理部は、
前記未送受信データ認識装置が未送信データなしを検出していた場合、データ通信の呼接続を解除するためのデータ通信呼接続制御信号を送信することを特徴とする請求項１記載の移動通信端末。
【請求項４】
音声コーデックを有し、音声通話サービスを提供する無線通信基地局との間で無線通信による音声通話を行う音声パケット送受信装置と、
未送受信データの有無を検出する未送受信データ認識装置を有し、データ通信サービスを提供する無線通信基地局との間で無線通信によるデータ通信を行うデータパケット送受信装置と、
音声通話の呼接続が確立してから一定時間を計測するタイマと、
音声通話とデータ通信とを切り替える切り替え装置と、
呼処理を行う呼制御処理部とを備えて構成され、
前記呼制御処理部は、
データ通信呼接続が確立されていてデータ通信中に音声通話の呼接続要求があった場合に音声通話の呼接続を確立させて、音声通話及びデータ通信の両方の呼接続を確立させた状態で前記切り替え装置を音声パケット送受信装置側に切り替えて音声通話を開始させ、前記タイマが一定時間を計時したときに、音声通話のための音声パケットを破棄して音声パケットの送信を停止し、前記切り替え装置をデータパケット送受信側に切り替えて、前記未送受信データ認識装置からの未送受信データの有無の検出結果に基づいて、音声パケットの送信を停止して空いた時間を利用してデータ通信呼接続制御信号を送信することを特徴とする移動通信端末。
【請求項５】
前記呼制御処理部は、
前記未送受信データ認識装置が未送信データありを検出していた場合、データ通信の呼接続を維持するためのデータ通信呼接続制御信号を送信することを特徴とする請求項４記載の移動通信端末。
【請求項６】
前記呼制御処理部は、
前記未送受信データ認識装置が未送信データなしを検出していた場合、データ通信の呼接続を解除するためのデータ通信呼接続制御信号を送信することを特徴とする請求項４記載の移動通信端末。
【請求項７】
前記呼制御処理部は、
データ通信の呼接続を維持するためのデータ通信呼接続制御信号を送信した後、前記切り替え装置を音声パケット送受信装置側に切り替えて音声通話を再開させると共に、音声通話の呼接続を続ける場合に前記タイマをリセットして計時を再開させ、前記タイマが一定時間を計時したときに、前記未送受信データ認識装置が未送信データありを検出していた場合、音声通話のための音声パケットを破棄して音声パケットの送信を停止し、前記切り替え装置をデータパケット送受信側に切り替えて、音声パケットの送信を停止して空いた時間を利用してデータ通信の呼接続を維持するためのデータ通信呼接続制御信号を送信する処理を繰り返すことを特徴とする請求項５記載の移動通信端末。
【請求項８】
音声コーデック及び該音声コーデックの音声データの圧縮率を調整する圧縮率調整手段を有し、音声通話サービスを提供する無線通信基地局との間で無線通信による音声通話を行う音声パケット送受信装置と、
未送受信データの有無を検出する未送受信データ認識装置を有し、データ通信サービスを提供する無線通信基地局との間で無線通信によるデータ通信を行うデータパケット送受信装置と、
音声通話の呼接続が確立してから一定時間を計測するタイマと、
音声通話とデータ通信とを切り替える切り替え装置と、
呼処理を行う呼制御処理部とを備えて構成され、
前記呼制御処理部は、
データ通信呼接続が確立されていてデータ通信中に音声通話の呼接続要求があった場合に音声通話の呼接続を確立させて、音声通話及びデータ通信の両方の呼接続を確立させた状態で前記切り替え装置を音声パケット送受信装置側に切り替えて音声通話を開始させ、前記タイマが一定時間を計時したときに、音声通話のための音声パケットの圧縮率を上げて音声通話のための音声パケットの送信を行わない空き時間を生成し、前記切り替え装置をデータパケット送受信側に切り替えて、前記未送受信データ認識装置からの未送受信データの有無の検出結果に基づいて、前記生成した空き時間を利用してデータ通信呼接続制御信号を送信することを特徴とする移動通信端末。
【請求項９】
前記呼制御処理部は、
前記未送受信データ認識装置が未送信データありを検出していた場合、データ通信の呼接続を維持するためのデータ通信呼接続制御信号を送信することを特徴とする請求項８記載の移動通信端末。
【請求項１０】
前記呼制御処理部は、
前記未送受信データ認識装置が未送信データなしを検出していた場合、データ通信の呼接続を解除するためのデータ通信呼接続制御信号を送信することを特徴とする請求項８記載の移動通信端末。
【請求項１１】
前記呼制御処理部は、
データ通信の呼接続を維持するためのデータ通信呼接続制御信号を送信した後、前記切り替え装置を音声パケット送受信装置側に切り替えて音声通話を再開させると共に、音声通話の呼接続を続ける場合に前記タイマをリセットして計時を再開させ、前記タイマが一定時間を計時したときに、前記未送受信データ認識装置が未送信データありを検出していた場合、音声通話のための音声パケットの圧縮率を上げて音声通話のための音声パケットの送信を行わない空き時間を生成し、前記切り替え装置をデータパケット送受信側に切り替えて、前記生成した空き時間を利用してデータ通信の呼接続を維持するためのデータ通信呼接続制御信号を送信する処理を繰り返すことを特徴とする請求項９記載の移動通信端末。
【発明の詳細な説明】
【技術分野】
【０００１】
本発明は、移動通信端末に係り、特に、音声通話とデータ通信とを異なる移動通信システムを使用して実現している移動通信端末に関する。
【背景技術】
【０００２】
音声通信システムとデータ通信システムとの両方を用いた通信を提供することができる移動通信端末に関する従来技術として、例えば、特許文献１等に記載された技術が知られている。この従来技術は、データ通信システムの伝送機を制御しているデータ伝送制御機が、データ通信を行っている移動通信端末で、データ通信システムとの間での呼接続の解除を行う等により、前記移動通信端末から所定レベル以下の信号しか受信することができなくなると、音声通信システムの移動通信交換局に前記移動通信端末における音声信号または低速データの着信の有無を照会するメッセージを伝送し、音声信号または低速データの着信の有無を確認したメッセージを受信して、前記移動通信端末の呼接続の音声通信システムへの切り替わりをリアルタイムに認知するというものである。
【０００３】
また、他の従来技術として、例えば、特許文献２等に記載された技術が知られている。この従来技術は、音声通話とデータ通信の両方が同一回線を通じて提供される通信端末において、有音無音検出部が無音を検出すると通信Ｉ／Ｆ部と変復調部とを接続し、有音を検出すると音声処理部と変復調部とを接続することにより、無音時にはデータ端末としてのデータ通信、有音時には送受話器による音声通信を行うというものである。
【先行技術文献】
【特許文献】
【０００４】
【特許文献１】特許第４０８９９７７号公報
【特許文献２】特開平８−８４２０１号公報
【発明の概要】
【発明が解決しようとする課題】
【０００５】
音声通話を行う機能とデータ通信を行う機能とを備えた移動通信端末の中には、音声通話とデータ通信とを、それぞれ異なる移動通信システムを使用して実現しているものが存在し、その一例が、前述した特許文献１に記載されているものである。すなわち、主として音声通話サービスとして利用されるＣＤＭＡ(Code Division Multiple Access）２０００  １Ｘシステム（以下、１Ｘシステムという）と、データ通信サービスとして利用されるＣＤＭＡ２０００  １ｘＥＶ−ＤＯシステム（以下、１ｘＥＶ−ＤＯシステムという）とを、単一の移動通信端末に実装したハイブリッド端末である。
【０００６】
このような移動通信端末は、一般に、データ通信サービスの利用中に音声通話の呼び出しを受けることにより、音声通話サービスへ切り替える機能を有する。このとき、移動通信端末は、データ通信システムに対する呼接続の正常な解除の手続を行わずにデータ通信システムから音声通話システムへの切り替えを行ってしまう。このため、データ通信システムの基地局は、所定以上の品質の無線信号を移動通信端末から受けられない状態が一定時間継続した後に呼接続の解除を行って、システムリソースを解放する。
【０００７】
特許文献１に記載の従来技術は、データ通信システムが、呼接続の解除を行ってシステムリソースを解放した時点で、送受信が完了していないデータがあるとそのデータを破棄しなければならない場合が発生するという問題点（問題点１）を有している。
【０００８】
また、従来技術は、全てのデータの送受信が完了しており、データ通信システムの呼接続を解除しても問題ない場合であっても、以下に説明するような別の問題を生じる場合がある。
【０００９】
一般に、データ通信システムは、音声通話システムへの切り替えに要する時間を短縮するため、呼接続の解除の原因をネットワーク（データ通信システムの基地局）に提供しないように構成されている。すなわち、従来技術のデータ通信システムを含む一般的なデータ通信システムは、データ通信システムに呼接続中の移動通信端末が電波の微弱な地域へ移動する、通信システムに機能障害が発生する、あるいは、音声通話システムへ切り替えが行われる等、呼接続の解除が生じる原因が複数考えられるが、呼接続の解除の原因に関する情報をデータ通信システムの基地局に提供していない。
【００１０】
このため、従来技術のデータ通信システムは、通信中であった移動通信端末が、音声通話システムへの切り替えによってデータ通信システムの呼接続を既に継続できない場合でも、データ通信基地局が、呼接続中の移動通信端末が電波の微弱な地域へ移動した場合と区別することができないため、移動通信端末が音声通話システムへ切り替わってから呼接続の解除を行うまでの一定時間呼接続を維持したり、呼接続の解除が行われた後にデータ通信システムに対する呼び出し（ページング）を行ったりして、データ通信システムの通信リソースを不必要に確保することになってしまうという問題点（問題点２）を生じさせる。
【００１１】
さらに、従来技術のデータ通信システムは、その基地局が呼接続の解除の原因が提供されないことにより、音声通話システムへの切り替えによってデータ通信システムの呼接続の解除が行われても、通信システムに機能障害が発生した場合と区別することができないため、通信事業者の保守作業に支障をきたす恐れがあるという問題点（問題点３）を生じさせる。
【００１２】
特許文献１に記載の従来技術は、問題点２として説明したようなデータ通信システムの通信リソースの不必要な確保を抑止することを可能としたものである。そして、この従来技術は、移動通信端末がデータ通信サービスを利用中に呼接続を解除すると、データ通信システムが移動通信交換局に問い合わせを行い、音声通信システムへ切り替わったことをリアルタイムに認知することができものであり、これにより通信リソースの速やかな解放を行うことを可能としている。
【００１３】
しかし、この従来技術は、データ通信システムの呼接続を維持することができないため、送受信が完了していないデータを破棄しなければならないという前述した問題点１を解決することができず、また、この機能がコアネットワークが主導して実現される機能であるため、データ通信システムと音声通話システムとの間を接続する必要があると同時に、データ呼と音声呼との対応を知るための制御が必要になるという問題点（問題点４）をも生じさせてしまう。
【００１４】
本発明の目的は、前述したような従来技術の問題点に鑑みて、音声通話サービスを維持しつつ、データ通信システムに呼接続中の移動通信端末が音声通話システムへ切り替わったときに、送受信が完了していないデータが存在すればデータ通信システムの呼接続を維持して、音声通話サービスが終了した時に速やかにデータ通信を再開できるようにし、送受信が完了していないデータが存在しなければ、データ通信システムの呼接続の正常な解除を行い、通信リソースを速やかに解放させることができるようにした移動通信端末を提供することにある。
【課題を解決するための手段】
【００１５】
本発明によれば前記目的は、音声コーデックを有し、音声通話サービスを提供する無線通信基地局との間で無線通信による音声通話を行う音声パケット送受信装置と、未送受信データの有無を検出する未送受信データ認識装置を有し、データ通信サービスを提供する無線通信基地局との間で無線通信によるデータ通信を行うデータパケット送受信装置と、音声通話の音量を検出する音量検出部と、音声通話の呼接続が確立してから一定時間を計測するタイマと、音声通話とデータ通信とを切り替える切り替え装置と、呼処理を行う呼制御処理部とを備えて構成され、前記呼制御処理部は、データ通信呼接続が確立されていてデータ通信中に音声通話の呼接続要求があった場合に音声通話の呼接続を確立させて、音声通話及びデータ通信の両方の呼接続を確立させた状態で前記切り替え装置を音声パケット送受信装置側に切り替えて音声通話を開始させ、前記タイマが一定時間を計時するまでの間に、前記音量検出部が音声通話の音量が一定値以下になったことを検出すると、音声通話のための音声パケットを破棄して音声パケットの送信を停止し、前記切り替え装置をデータパケット送受信側に切り替えて、前記未送受信データ認識装置からの未送受信データの有無の検出結果に基づいて、音声パケットの送信を停止して空いた時間を利用してデータ通信呼接続制御信号を送信することにより達成される。
【発明の効果】
【００１６】
本発明によれば、データ通信システムに呼接続中でデータ通信を行っている移動通信端末が音声通話システムへ切り替えられた場合にも、音声通話サービスが終了したときに速やかにデータ通信を再開することができる。
【図面の簡単な説明】
【００１７】
【図１】本発明の第１の実施形態による移動通信端末の構成を示すブロック図である。
【図２】本発明の第１の実施形態による移動通信端末の処理動作を説明するフローチャートである。
【図３Ａ】音声通話時の音声波形と音声コーデックが音声波形をデジタル変換して出力する音声パケットとの関係を概念的に説明するタイミングチャートである。
【図３Ｂ】本発明の第１の実施形態における音声通話時の音声波形と音声コーデックが音声波形をデジタル変換して出力する音声パケット及び図２により説明した呼接続制御信号パケットとの関係を概念的に説明するタイミングチャートである。
【図４】本発明の第２の実施形態による移動通信端末の構成を示すブロック図である。
【図５】本発明の第２の実施形態による移動通信端末の処理動作を説明するフローチャートである。
【図６】本発明の第２の実施形態における音声通話時の音声波形と音声コーデックが音声波形をデジタル変換して出力する音声パケット及び図５により説明した呼接続制御信号パケットとの関係を概念的に説明するタイミングチャートである。
【図７】本発明の第３の実施形態による移動通信端末の構成を示すブロック図である。
【図８】本発明の第３の実施形態による移動通信端末の処理動作を説明するフローチャートである。
【図９】本発明の第３の実施形態における音声通話時の音声波形と音声コーデックが音声波形をデジタル変換して出力する音声パケット及び図８により説明した呼接続制御信号パケットとの関係を概念的に説明するタイミングチャートである。
【発明を実施するための形態】
【００１８】
以下、本発明による移動通信端末の実施形態を図面により詳細に説明する。
【００１９】
図１は本発明の第１の実施形態による移動通信端末の構成を示すブロック図である。ここに示す本発明の第１の実施形態による移動通信端末は、音声通話の無音となる時間を利用してデータ通信の呼接続を維持または解除するための処理を実施するように構成した例である。
【００２０】
本発明の第１の実施形態による移動通信端末１００は、音声通話システム及びデータ通信システムを構成する基地局と無線通信を行うアンテナ１０１と、音声通話に用いられる無線インターフェイスである音声通話無線Ｉ／Ｆ１０２と、データ通信に用いられる無線インターフェイスであるデータ通信無線Ｉ／Ｆ１０３と、音声通話の音量を検出する音量検出部１１３をその内部に有して呼処理を行う呼制御処理部１０４と、音声通話とデータ通信とを切り替えるために、呼制御処理部１０４により制御されて音声通話無線Ｉ／Ｆ１０２またはデータ通信無線Ｉ／Ｆ１０３の一方をアンテナ１０１に接続するように切り替える切り替えスイッチにより構成された切り替え装置１０５と、アナログ音声信号をデジタル信号に変換し、かつ、デジタル信号をアナログ信号に変換する音声コーデック１０７を内部に有する音声処理部１０６と、データ通信システムに呼接続中の移動通信端末が音声通話システムへ切り替わったときに、送受信が完了していないデータが存在するか否かを判断し記憶する未送受信データ認識装置１０９を内部に有するデータ処理部１０８と、スピーカやマイク等の音声入出力部１１０と、液晶ディスプレイに代表される表示部１１１と、音声通話システムとの呼接続が確立してから一定時間を計測するタイマ１１２と、書き換え可能な不揮発性メモリ等による記憶装置１１４とを備えて構成されている。
【００２１】
図１に示す本発明の第１の実施形態による移動通信端末は、アンテナ１０１介して電波により接続される相手局としての図示しない音声通信基地局及びデータ通信基地局を経て他の移動または固定の端末との間での通信を行うことができる。また、図示しない音声通信基地局及びデータ通信基地局のそれぞれには、それぞれの基地局の監視・制御を行う上位装置である基地局制御装置が接続されると共に、他の移動または固定の端末を接続する交換機が接続されている。
【００２２】
なお、図１に示している本発明の第１の実施形態による移動通信端末の構成は、本発明の説明に必要に構成についてのみ示しており、本発明の説明に必要のない従来から備えられている構成及び制御信号の伝送経路等については省略して示していない。また、音量検出部１１３は、呼制御処理部１０４の内部に設けられることなく、呼制御処理部１０４に接続されて呼制御処理部１０４の外部に設けられていてもよい。
【００２３】
そして、呼制御処理部１０４は、ＣＰＵ、メモリ等を有して構成され、記憶装置１１４に格納された呼処理のためのプログラムをメモリにロードしてＣＰＵに実行させることにより呼処理制御を行うと共に、同様に、記憶装置１１４に格納された後述する本発明での制御処理のためのプログラムをメモリにロードしてＣＰＵに実行させることにより、本発明の実施形態による各機能を構築している。
【００２４】
前述したように構成される移動通信端末は、音声通信を行う場合、スピーカやマイク等の音声入出力部１１０を、音声処理部１０６内の音声コーデック１０７、音声通話無線Ｉ／Ｆ１０２、切り替え装置１０５を介して図示しない音声通信基地局と接続することにより、音声通信基地局を経て接続される他の端末との間で音声による通話を行うことができる。また。図１に示す移動通信端末は、データ通信を行う場合、表示部１１１、図示しないキーボード等の入力装置を、データ処理部１０８、データ通信無線Ｉ／Ｆ１０３、切り替え装置１０５を介して図示しないデータ通信基地局と接続することにより、データ通信基地局を経て接続される他の端末との間でデータの授受を行うことができる。
【００２５】
前述したは本発明の第１の実施形態による移動通信端末、主として音声通話サービスとして利用されるＣＤＭＡ(Code Division Multiple Access）２０００  １Ｘシステムと、データ通信サービスとして利用されるＣＤＭＡ２０００  １ｘＥＶ−ＤＯシステムとを、実装したハイブリッド端末として構成することができる。また、本発明の第１の実施形態による移動通信端末は、音声通話サービス及びデータ通信サービスの利用のために、前述した多元接続方式のＣＤＭＡ２０００システム以外にＴＤＭＡ(Time Division Multiple Access）方式のシステム、ＯＦＤＭＡ(Orthogonal Frequency Division Multiple Access）方式のシステム、ＷＣＤＭＡ方式のシステム、ＬＴＥ法式のシステム、ＷｉＭＡＸ法式のシステム等の多元接続方式のシステムを実装して構成することができる。これらのことは、後述する本発明の第２の実施形態、第３の実施形態の場合も同様である。
【００２６】
図２は本発明の第１の実施形態による移動通信端末の処理動作を説明するフローチャートであり、以下、図１に示す本発明の第１の実施形態の各部の機能とその動作を説明する。
【００２７】
（１）いま、移動通信端末１００は、データ通信基地局を含むデータ通信システムと呼接続状態にあり、データパケットの送受信を行ってデータ通信を行っているものとする（ステップ２０１）。
【００２８】
（２）呼制御処理部１０４は、移動通信端末１００がデータ通信を行っている状態で、アンテナ１０１及び図示していない制御信号用のインターフェイスを介して音声通信基地局から、あるいは、自身に備えられている音声通信へ切り替えるための図示しないスイッチ等から音声通話への切り替えのための呼接続要求があるか否かを監視し、呼接続要求がなければ、ステップ２０１からの処理に戻って、移動通信端末１００にデータ通信を続けさせる（ステップ２０２）。
【００２９】
（３）ステップ２０２の監視で、呼接続要求ありを検出した場合、呼制御処理部１０４は、自移動通信端末でのデータパケットの送受信を中断させ、切り替え装置１０５を制御して音声通話無線Ｉ／Ｆ１０２をアンテナ１０１を介して音声通信基地局に接続して音声通話システムとの呼接続を確立させる。なお、この時点では、データ通信システムの呼接続は維持されたまま継続される（ステップ２０３、２０４）。
【００３０】
（４）音声通話の呼接続が確立した後、呼制御処理部１０４は、内部の音量検出部１１３に、音声入出力部１１０から音声処理部１０６へ送られてくる通話音声の音量を検出する処理を開始させる（ステップ２０５）。
【００３１】
（５）また、呼制御処理部１０４は、音声通話システムとの呼接続が確立した時刻を０としてタイマ１１２をリセットし、時間の計測を開始させる（ステップ２０６、２０７）。
【００３２】
（６）呼制御処理部１０４は、タイマ１１２が計測している時間を参照し、時間の経過が予め定めた一定値を経過したか否かを監視し、時間の経過が予め定めた一定値を経過していない間、音量検出部１１３が検出している通話音声の音量を観測し、通話音声の音量が予め定めた一定値を越えていないか否か、すなわち、一定値以下であるか否かを判定する（ステップ２０８、２０９）。
【００３３】
（７）呼制御処理部１０４は、ステップ２０９の判定で、音量が一定値を超えていた場合、ステップ２０８からのタイマ１１２が計測している時間を参照する処理に戻って処理を繰り返す。
【００３４】
（８）ステップ２０９の判定で、音量が一定値以下になる前に、ステップ２０８のタイマ１１２の監視で時間の経過が一定値に達した場合、呼制御処理部１０４は何もしない。この結果、一定時間後に、図示しないデータ通信基地局は、所定値以上の通信レベルのデータパケットが移動通信端末１００から受信できないことを検知して、自身が主導してデータ通信システムの呼接続を解除する。この動作は、従来技術による動作である。そして、この場合の経過時間の一定値とは、ネットワークがデータ通信システムの呼接続を解除する判断を行う時間より十分に短い時間である（ステップ２１１）。
【００３５】
（９）呼制御処理部１０４は、ステップ２０８のタイマ１１２の監視で時間の経過が一定値に達する前に、ステップ２０９の判定で、音量検出部１１３が通話音声の音量が一定値以下になったことを検出した場合、切り替え装置１０５をアンテナ１０１とデータ通信無線Ｉ／Ｆ１０３とを接続するように切り替えて、音声パケットの送信を一時的にデータパケットの送信に切り替える。このときの音声パケットは、無音状態と判断されているので、欠落しても音声通話に支障はない（ステップ２１０）。
【００３６】
（10）呼制御処理部１０４は、データパケットの送信に切り替えた後、データ処理部１０８内の未送受信データ認識装置１０９を参照して未送受信データパケットが存在するか否かを確認し、未送受信データパケットが存在しなかった場合、音声パケットの送信を中断して空いた時間を使用して、データ通信の呼接続を解除する信号（メッセージ）をデータ通信基地局へ送信する。その後、呼制御処理部１０４は、切り替え装置１０５を制御してデータパケットの送信を元の音声パケットの送信に切り替える（ステップ２１２、２１７、２１８）。
【００３７】
（11）そして、ステップ２１７の処理で送信した信号（メッセージ）によって、データ通信の呼接続がデータ通信基地局の処理により解除される（ステップ２１９）。
【００３８】
（12）ステップ２１１またはステップ２１９の処理でデータ通信の呼接続が解除された後、呼制御処理部１０４は、音声通話の呼接続があるか否かを判定し、音声通話の呼接続があった場合、音声通話の呼接続を継続して、音声通話を続けさせる（ステップ２２０）。
【００３９】
（13）呼制御処理部１０４は、ステップ２２０の判定で、音声通話の呼接続がなかった場合、データ通信の呼接続を回復させ、データパケットの送受信を再開して、ここでの処理を終了する（ステップ２２１、２１６）。
【００４０】
（14）一方、ステップ２１２の確認で、未送受信データパケットが存在していた場合、呼制御処理部１０４は、音声パケットの送信を中断して空いた時間を使用して、データ通信の呼接続を維持する信号（例えば、KeepAlive メッセージ等）をデータ通信基地局へ送信し、その後、データパケットの送信を元の音声パケットの送信に切り替える（ステップ２１３、２１４）。
【００４１】
（15）データ通信の呼接続を維持するためには、一定時間の間隔でデータ通信の呼接続を維持する信号（メッセージ）を送信し続ける必要がある。このため、呼制御処理部１０４は、音声通話の呼接続があるか否かを監視し、呼接続が維持されていた場合、ステップ２０６からの処理に戻って、再びタイマをリセットする処理以降の処理を繰り返し、音声通話の呼接続が解除されていた場合、データパケットの送受信を再開して、ここでの処理を終了する（ステップ２１５、２１６）。
【００４２】
図３Ａは音声通話時の音声波形と音声コーデック１０７が音声波形をデジタル変換して出力する音声パケットとの関係を概念的に説明するタイミングチャートである。図３Ａに示すタイミングチャートは、後述する本発明の第１の実施形態での同様なタイミングチャートとの比較を容易にするために示すもので従来技術の場合におけるタイミングチャートである。そして、図３Ａ（ａ）は音声波形の例を示しており、縦軸は音声波形の振幅、横軸は時間を示している。また、図３Ａ（ｂ）は音声パケットの例を示しており、縦軸は情報量、横軸は時間を示している。
【００４３】
図３Ａ（ａ）に示すような音声入出力部１１０から入力された音声の音声波形３０１は、ある一定の時間間隔３０２でフレームと呼ばれる時間単位に分割される。そして、音声波形３０１は、ある一定の振幅３０３を基準に、フレーム毎に有音、無音に分類される。各フレームの音声波形は、音声コーデック１０７によってデジタル信号に変換され、情報圧縮が行われる。すなわち、有音、無音のフレームの波形は、図３（Ｂ）に示すように、それぞれ音声パケット（有音）３０５、音声パケット（無音）３０４に変換される。一般に、音声パケット（無音）３０４は、音声パケット（有音）３０５より情報量の少ないパケットとなる。音声コーデック１０７は、実際には、１フレーム分の音声波形を全て受け取らないと前述した情報圧縮までの処理を完了することができないので、１フレーム以上の遅延時間が存在するが、図３Ａに示す例では、音声波形と音声パケットとの対応関係を明確にするために遅延時間を表現していない。従来技術によれば、この図に示したようなパケットが移動通信端末から基地局へ送信されることになる。
【００４４】
図３Ｂは本発明の第１の実施形態における音声通話時の音声波形と音声コーデック１０７が音声波形をデジタル変換して出力する音声パケット及び図２により説明した呼接続制御信号パケットとの関係を概念的に説明するタイミングチャートである。そして、図３Ｂ（ａ）は音声波形の例を示しており、図３Ｂ（ｂ）は音声パケット及び呼接続制御信号パケットの例を示している。図３Ｂ（ａ）、図３Ｂ（ｂ）の縦軸、横軸の意味は、図３Ａの場合と同様である。
【００４５】
図３Ｂにおいて、いま、タイマ１１２が一定時間を計測し終わる前に、音量検出部１１３が、フレーム３０２Ａの通話音声の音量が一定値３０３以下になったことを検出したものとする。この検出は、図２に示して説明したフローのステップ２０９での判定で、ＹＥＳとして出力されたものである。呼制御処理部１０４は、この判定の結果として音声通話の状態が無音状態であると判断し、タイマ１１２が計測している時間の経過が一定値３０６以下であったことにより、切り替え装置１０５を、音声パケットの送信から一時的にデータパケットの送信に切り替える制御を行う。この処理が図２に示すフローのステップ２１０での処理である。
【００４６】
次に、呼制御処理部１０４は、未送受信データパケットが存在するか否か（図２のステップ２１２の判断）によって、音声パケットの送信を中断して空いたフレーム３０２Ａの時間を使用して、データ通信の呼接続を解除する信号（メッセージ）またはデータ通信の呼接続を維持する信号（例えば、KeepAlive メッセージ）のいずれかをデータ通信呼接続制御信号３０７Ａとしてデータ通信基地局へ送信する。この処理が図２に示して説明したフローのステップ２１７、２１３での処理である。
【００４７】
図４は本発明の第２の実施形態による移動通信端末の構成を示すブロック図である。ここに示す本発明の第２の実施形態による移動通信端末は、音声通話を中断してデータ通信の呼接続を維持または解除するための処理を実施するように構成した例である。
【００４８】
本発明の第２の実施形態による移動通信端末４００は、基本的に図１に示して説明した本発明の第１の実施形態による移動通信端末１００と同様に構成される。そして、本発明の第２の実施形態による移動通信端末４００が第１の実施形態による移動通信端末１００と相違する点は、呼制御処理部１０４内に音量検出部１１３が設けられていない点だけである。従って、本発明の第２の実施形態による移動通信端末４００の構成の詳細についての説明は省略する。
【００４９】
図５は本発明の第２の実施形態による移動通信端末の処理動作を説明するフローチャートであり、以下、図４に示す本発明の第２の実施形態の各部の機能とその動作を説明する。
【００５０】
（１）いま、移動通信端末４００は、データ通信基地局を含むデータ通信システムと呼接続状態にあり、データパケットの送受信を行ってデータ通信を行っているものとする（ステップ５０１）。
【００５１】
（２）呼制御処理部１０４は、移動通信端末４００がデータ通信を行っている状態で、アンテナ１０１及び図示していない制御信号用のインターフェイスを介して音声通信基地局から、あるいは、自身に備えられている音声通信へ切り替えるための図示しないスイッチ等から音声通話への切り替えのための呼接続要求があるか否かを監視し、呼接続要求がなければ、ステップ５０１からの処理に戻って、移動通信端末４００にデータ通信を続けさせる（ステップ５０２）。
【００５２】
（３）ステップ５０２の監視で、呼接続要求ありを検出した場合、呼制御処理部１０４は、自移動通信端末でのデータパケットの送受信を中断させ、切り替え装置１０５を制御して音声通話無線Ｉ／Ｆ１０２をアンテナ１０１を介して音声通信基地局に接続して音声通話システムとの呼接続を確立させる。なお、この時点では、データ通信システムの呼接続は維持されたまま継続される（ステップ５０３、５０４）。
【００５３】
（４）呼制御処理部１０４は、音声通話システムとの呼接続が確立した時刻を０としてタイマ１１２をリセットし、時間の計測を開始させ、タイマ１１２が計測している時間を参照し、時間の経過が予め定めた一定値を経過したか否かを監視する（ステップ５０６〜５０８）。
【００５４】
（５）ステップ５０８の監視で、時間が一定値を経過したことを検出した場合、呼制御処理部１０４は、切り替え装置１０５をアンテナ１０１とデータ通信無線Ｉ／Ｆ１０３とを接続するように切り替えて、音声パケットの送信を一時的に中断しデータパケットの送信に切り替える。この場合の経過時間の一定値とは、ネットワークがデータ通信システムの呼接続を解除する判断を行う時間より十分に短い時間である。また、このときの音声パケットは、ごく短時間中断するだけであるので、欠落しても音声通話に支障はない（ステップ５１０）。
【００５５】
（６）呼制御処理部１０４は、データパケットの送信に切り替えた後、データ処理部１０８内の未送受信データ認識装置１０９を参照して未送受信データパケットが存在するか否かを確認し、未送受信データパケットが存在しなかった場合、音声パケットの送信を中断して空いた時間を使用して、データ通信の呼接続を解除する信号（メッセージ）をデータ通信基地局へ送信する。その後、呼制御処理部１０４は、切り替え装置１０５を制御してデータパケットの送信を元の音声パケットの送信に切り替える（ステップ５１２、５１７、５１８）。
【００５６】
（７）そして、ステップ５１７の処理で送信した信号（メッセージ）によって、データ通信の呼接続がデータ通信基地局の処理により解除される（ステップ５１９）。
【００５７】
（８）ステップ５１９の処理でデータ通信の呼接続が解除された後、呼制御処理部１０４は、音声通話の呼接続があるか否かを判定し、音声通話の呼接続があった場合、音声通話の呼接続を継続して、音声通話を続けさせる（ステップ５２０）。
【００５８】
（９）呼制御処理部１０４は、ステップ５２０の判定で、音声通話の呼接続がなかった場合、データ通信の呼接続を回復させ、データパケットの送受信を再開して、ここでの処理を終了する（ステップ５２１、５１６）。
【００５９】
（10）一方、ステップ５１２の確認で、未送受信データパケットが存在していた場合、呼制御処理部１０４は、音声パケットの送信を中断して空いた時間を使用して、データ通信の呼接続を維持する信号（例えば、KeepAlive メッセージ等）をデータ通信基地局へ送信し、その後、データパケットの送信を元の音声パケットの送信に切り替える（ステップ５１３、５１４）。
【００６０】
（11）データ通信の呼接続を維持するためには、一定時間の間隔でデータ通信の呼接続を維持する信号（メッセージ）を送信し続ける必要がある。このため、呼制御処理部１０４は、音声通話の呼接続があるか否かを監視し、呼接続が維持されていた場合、ステップ５０６からの処理に戻って、再びタイマをリセットする処理以降の処理を繰り返し、音声通話の呼接続が解除されていた場合、データパケットの送受信を再開して、ここでの処理を終了する（ステップ５１５、５１６）。
【００６１】
図６は本発明の第２の実施形態における音声通話時の音声波形と音声コーデック１０７が音声波形をデジタル変換して出力する音声パケット及び図５により説明した呼接続制御信号パケットとの関係を概念的に説明するタイミングチャートである。そして、図６（ａ）は音声波形の例を示しており、図６（ｂ）は音声パケット及び呼接続制御信号パケットの例を示している。図６（ａ）、図６（ｂ）の縦軸、横軸の意味は、図３Ａの場合と同様である。
【００６２】
図６において、いま、タイマ１１２で計測している時間の経過が一定値３０６に達したことを検出したものとする。この検出は、図５に示して説明したフローのステップ５０８での判定で、ＹＥＳとして出力されたものである。呼制御処理部１０４は、この判定の結果、切り替え装置１０５を、音声パケットの送信から一時的にデータパケットの送信に切り替える制御を行う。この処理が図５に示すフローのステップ５１０での処理である。
【００６３】
次に、呼制御処理部１０４は、未送受信データパケットが存在するか否か（図５のステップ５１２の判断）によって、音声パケットの送信を中断して空いたフレーム３０２Ｂの時間を使用して、データ通信の呼接続を解除する信号（メッセージ）またはデータ通信の呼接続を維持する信号（例えば、KeepAlive メッセージ）のいずれかをデータ通信呼接続制御信号３０７Ｂとしてデータ通信基地局へ送信する。この処理が図５に示して説明したフローのステップ５１７、５１３での処理である。
【００６４】
図７は本発明の第３の実施形態による移動通信端末の構成を示すブロック図である。ここに示す本発明の第３の実施形態による移動通信端末は、音声通話を中断することなくデータ通信の呼接続を維持または解除するための処理を実施するように構成した例である。
【００６５】
本発明の第３の実施形態による移動通信端末７００は、図４に示して説明した本発明の第２の実施形態による移動通信端末４００の音声処理部１０６内に、音声コーデック１０７に対して音声データの圧縮率を調整する指示を与える圧縮率調整装置１０７Ａを設けて構成したものであり、それ以外は、本発明の第２の実施形態と同様に構成される。従って、本発明の第３の実施形態による移動通信端末７００の構成の詳細についての説明は省略する。
【００６６】
図８は本発明の第３の実施形態による移動通信端末の処理動作を説明するフローチャートであり、以下、図７に示す本発明の第３の実施形態の各部の機能とその動作を説明する。
【００６７】
（１）いま、移動通信端末７００は、データ通信基地局を含むデータ通信システムと呼接続状態にあり、データパケットの送受信を行ってデータ通信を行っているものとする（ステップ８０１）。
【００６８】
（２）呼制御処理部１０４は、移動通信端末７００がデータ通信を行っている状態で、アンテナ１０１及び図示していない制御信号用のインターフェイスを介して音声通信基地局から、あるいは、自身に備えられている音声通信へ切り替えるための図示しないスイッチ等から音声通話への切り替えのための呼接続要求があるか否かを監視し、呼接続要求がなければ、ステップ８０１からの処理に戻って、移動通信端末７００にデータ通信を続けさせる（ステップ８０２）。
【００６９】
（３）ステップ８０２の監視で、呼接続要求ありを検出した場合、呼制御処理部１０４は、自移動通信端末でのデータパケットの送受信を中断させ、切り替え装置１０５を制御して音声通話無線Ｉ／Ｆ１０２をアンテナ１０１を介して音声通信基地局に接続して音声通話システムとの呼接続を確立させる。なお、この時点では、データ通信システムの呼接続は維持されたまま継続される（ステップ８０３、８０４）。
【００７０】
（４）呼制御処理部１０４は、音声通話システムとの呼接続が確立した時刻を０としてタイマ１１２をリセットし、時間の計測を開始させ、タイマ１１２が計測している時間を参照し、時間の経過が予め定めた一定値を経過したか否かを監視する（ステップ８０６〜８０８）。
【００７１】
（５）ステップ８０８の監視で、時間の経過が予め定めた一定値を経過した場合、呼制御処理部１０４は、音声処理部１０６の圧縮率調整装置１０７Ａに音声コーデック１０７での音声をデジタル化する際の圧縮率を上げさせるように指示する。この場合の時間経過の一定値とは、ネットワークがデータ通信システムの呼接続を解除する判断を行う時間より十分に短い時間である。また、この圧縮率を上げた音声パケットは、ごく短時間音質が悪化するだけであるので、音質が悪化しても音声通話に支障はない（ステップ８１０）。
【００７２】
（６）呼制御処理部１０４は、その後、データ処理部１０８内の未送受信データ認識装置１０９を参照して未送受信データパケットが存在するか否かを確認し、未送受信データパケットが存在しなかった場合、音声パケットの圧縮率を上げることにより利用可能となる時間を使用して、データ通信の呼接続を解除する信号（メッセージ）をデータ通信基地局へ送信する（ステップ８１２、８１７）。
【００７３】
（７）その後、呼制御処理部１０４は、圧縮率を上げて圧縮された音声パケットを送信した後、音声パケットの圧縮率を変更前の値に戻すように、音声処理部１０６の圧縮率調整装置１０７Ａに指示する（ステップ８１７Ａ、８１８）。
【００７４】
（８）そして、ステップ８１７の処理で送信した信号（メッセージ）によって、データ通信の呼接続がデータ通信基地局の処理により解除される（ステップ８１９）。
【００７５】
（９）ステップ８１９の処理でデータ通信の呼接続が解除された後、呼制御処理部１０４は、音声通話の呼接続があるか否かを判定し、音声通話の呼接続があった場合、音声通話の呼接続を継続して、音声通話を続けさせる（ステップ８２０）。
【００７６】
（10）呼制御処理部１０４は、ステップ８２０の判定で、音声通話の呼接続がなかった場合、データ通信の呼接続を回復させ、データパケットの送受信を再開して、ここでの処理を終了する（ステップ８２１、８１６）。
【００７７】
（11）一方、ステップ８１２の確認で、未送受信データパケットが存在していた場合、呼制御処理部１０４は、音声パケットの圧縮率を上げることにより利用可能となる時間を使用して、データ通信の呼接続を維持する信号（例えば、KeepAlive メッセージ等）をデータ通信基地局へ送信し、その後、圧縮率を上げて圧縮された音声パケットを送信し、音声パケットの圧縮率を変更前の値に戻す（ステップ８１３、８１３Ａ、８１４）。
【００７８】
（12）データ通信の呼接続を維持するためには、一定時間の間隔でデータ通信の呼接続を維持する信号（メッセージ）を送信し続ける必要がある。このため、呼制御処理部１０４は、音声通話の呼接続があるか否かを監視し、呼接続が維持されていた場合、ステップ８０６からの処理に戻って、再びタイマをリセットする処理以降の処理を繰り返し、音声通話の呼接続が解除されていた場合、データパケットの送受信を再開して、ここでの処理を終了する（ステップ８１５、８１６）。
【００７９】
図９は本発明の第３の実施形態における音声通話時の音声波形と音声コーデック１０７が音声波形をデジタル変換して出力する音声パケット及び図８により説明した呼接続制御信号パケットとの関係を概念的に説明するタイミングチャートである。そして、図９（ａ）は音声波形の例を示しており、図９（ｂ）は音声パケット及び呼接続制御信号パケットの例を示している。図９（ａ）、図９（ｂ）の縦軸、横軸の意味は、図３Ａの場合と同様である。
【００８０】
図９において、いま、タイマ１１２で計測している時間の経過が一定値３０６に達したことを検出したものとする。この検出は、図８に示して説明したフローのステップ８０８での判定で、ＹＥＳとして出力されたものである。呼制御処理部１０４は、この判定の結果を受けて、音声処理部１０６の圧縮率調整装置１０７Ａに音声コーデック１０７での音声をデジタル化する際の圧縮率を上げさせるように指示して、音声パケットの圧縮率を一時的に上げさせる。この処理が図８に示すフローのステップ８１０での処理である。
【００８１】
次に、呼制御処理部１０４は、未送受信データパケットが存在するか否か（図８のステップ８１２の判断）によって、音声パケットの圧縮率を上げて空いたフレーム３０２Ｃの時間を使用して、データ通信の呼接続を解除する信号（メッセージ）またはデータ通信の呼接続を維持する信号（例えば、KeepAlive メッセージ）のいずれかをデータ通信呼接続制御信号３０７Ｃとしてデータ通信基地局へ送信する。この処理が図８に示して説明したフローのステップ８１７、８１３での処理である。このような信号送信によって、フレームの利用可能な時間が短くなるが、圧縮率が上がっているので、音質は悪化するが音声パケット３０５Ａ、３０４Ａを、ステップ８１７Ａ、８１３Ａの処理により欠けることなく送信することができる。
【００８２】
前述した本発明の実施形態によれば、データ通信システムに呼接続中でデータ通信を行っている移動通信端末が音声通話システムへ切り替えられた場合に、送受信が完了していないデータが存在すればデータ通信システムの呼接続を維持して、音声通話サービスが終了したときに速やかにデータ通信を再開することができ、また、送受信が完了していないデータが存在しなければ、音声通話サービスが開始されたときにデータ通信システムの通信リソースを速やかに解放するようにすることができる。この場合、データ通信システムの呼接続の解除を正常に行わせることができるので、通信事業者の保守作業に対しても好適である。また、前述した本発明の各実施形態で説明した機能は、移動通信端末が主導して行われるものであるから、任意のシステム間で容易に実現させることができる。
【符号の説明】
【００８３】
１００  本発明の第１の実施形態による移動通信端末
１０１  無線通信を行うアンテナ
１０２  音声通話無線インターフェイス（Ｉ／Ｆ）
１０３  データ通信無線インターフェイス（Ｉ／Ｆ）
１０４  呼制御処理部
１０５  切り替え装置
１０６  音声処理部
１０７  音声コーデック
１０７Ａ  圧縮率調整装置
１０８  データ処理部
１０９  未送受信データ認識装置
１１０  音声入出力部
１１１  表示部
１１２  タイマ
１１３  音量検出部
１１４  記憶装置
４００  本発明の第２の実施形態による移動通信端末
７００  本発明の第３の実施形態による移動通信端末
【図１】
2012099902.tif 000003
【図２】
2012099902.tif 000004
【図３Ａ】
2012099902.tif 000005
【図３Ｂ】
2012099902.tif 000006
【図４】
2012099902.tif 000007
【図５】
2012099902.tif 000008
【図６】
2012099902.tif 000009
【図７】
2012099902.tif 000010
【図８】
2012099902.tif 000011
【図９】
2012099902.tif 000012